(57)【要約】【課題】放送周波数の変更により、周波数変更情報による追従作業が行えず、デジタル放送受信装置で放送の受信が不可能となった場合に、使用者にその旨を伝えることを目的とする。【解決手段】デジタル放送を受信する放送受信装置において、放送局から通知される周波数変更情報を解析し、変更予定日時等を記憶しておき、受信が不可となったときに、スキャンを促す表示を行う、あるいは使用者の利用に弊害のないタイミングでチャンネル情報の更新を行う。【選択図】  図５
2006174194.tif 000002
【特許請求の範囲】
【請求項１】
放送信号と、チャンネルの周波数変更に関するチャンネル周波数変更情報を受信する受信手段と、
前記チャンネル周波数変更情報に含まれるチャネル周波数変更時点を経過時またはチャンネル周波数変更時点を経過後に前記チャンネル周波数の変更作業を行うか否かの選択画面を表示するように制御する制御手段と、
を備えてなることを特徴とする受信装置。
【請求項２】
請求項１に記載の受信装置であって、
前記受信手段により受信された放送信号のチャンネルを選局する選局手段と、
前記選局手段により選局可能なチャンネルを記憶する記憶手段と、
前記受信手段により受信されるチャンネル周波数変更情報に基づいて、前記記憶手段に記憶されたチャンネル情報を更新する更新手段と、を備えていることを特徴とする受信装置。
【請求項３】
請求項２に記載の受信装置であって、
前記更新手段は、前記チャンネル周波数変更情報に含まれる変更後のチャンネル周波数をスキャンすることを特徴とする受信装置。
【請求項４】
請求項１に記載の受信装置であって、
前記受信手段により受信された放送信号のチャンネルを選局する選局手段と、
前記選局手段により選局可能なチャンネルを記憶する記憶手段と、
放送周波数帯域の複数のチャンネルをスキャンし放送信号の有無を検出する検出手段と、
前記放送信号の有無に基づき前記記憶手段に記憶されたチャンネル情報を更新する更新手段と、を備えていることを特徴とする受信装置。
【請求項５】
請求項１に記載の受信装置であって、
前記受信手段により受信された放送信号のチャンネルを選局する選局手段と、
前記選局手段により選局可能なチャンネルを記憶する記憶手段と、
前記受信手段により受信されるチャンネル変更情報に基づくチャンネルをスキャンし放送信号の有無を検出する検出手段と、
前記放送信号の有無に基づき前記記憶手段に記憶されたチャンネル情報を更新する更新手段と、を備えていることを特徴とする受信装置。
【請求項６】
前記表示から一定時間経過した後に、前記チャンネルの周波数の変更作業がなされていない場合に、再度前記制御手段は該チャンネルの周波数を変更する必要がある旨を表示するように制御することを特徴とする請求項１に記載の受信装置。
【請求項７】
前記表示後に前記判定手段が前記選局手段で選局したチャンネルが受信不可能であると判定した場合に、再度前記制御手段は該チャンネルの周波数を変更する必要がある旨を表示するように制御することを特徴とする請求項１に記載の受信装置。
【請求項８】
放送信号を受信する受信手段と、
前記受信手段により受信した放送信号のチャンネルを選局する選局手段と、
映像を表示するように制御する制御手段と、を備え、
前記選局手段により選局したチャンネルが受信不可能である場合に、
前記制御手段は該チャンネルの周波数を変更する必要がある旨を表示するように制御することを特徴とする受信装置。
【請求項９】
前記制御手段は、前記チャンネルの周波数の変更作業を行うか否かの選択画面を表示するように制御することを特徴とする請求項８に記載の受信装置。
【請求項１０】
請求項９に記載の受信装置であって、
前記選局手段により選局可能なチャンネルを記憶する記憶手段と、
前記受信手段により受信されるチャンネル周波数変更情報に基づいて、前記記憶手段に記憶されたチャンネル情報を更新する更新手段と、を備えていることを特徴とする受信装置。
【請求項１１】
請求項１０に記載の受信装置であって、
前記更新手段は、前記チャンネル周波数変更情報に含まれる変更後のチャンネル周波数をスキャンすることを特徴とする受信装置。
【請求項１２】
請求項９に記載の受信装置であって、
前記選局手段により選局可能なチャンネルを記憶する記憶手段と、
放送周波数帯域の複数のチャンネルをスキャンし放送信号の有無を検出する検出手段と、
前記放送信号の有無に基づき前記記憶手段に記憶されたチャンネル情報を更新する更新手段と、を備えていることを特徴とする受信装置。
【請求項１３】
請求項９に記載の受信装置であって、
前記選局手段により選局可能なチャンネルを記憶する記憶手段と、
前記受信手段により受信されるチャンネル変更情報に基づくチャンネルをスキャンし放送信号の有無を検出する検出手段と、
前記放送信号の有無に基づき前記記憶手段に記憶されたチャンネル情報を更新する更新手段と、を備えていることを特徴とする受信装置。
【請求項１４】
前記表示から一定時間経過した後に、前記チャンネルの周波数の変更作業がなされていない場合に、再度前記制御手段は該チャンネルの周波数を変更する必要がある旨を表示するように制御することを特徴とする請求項２に記載の受信装置。
【請求項１５】
前記表示後に前記判定手段が前記選局手段で選局したチャンネルが受信不可能であると判定した場合に、再度前記制御手段は該チャンネルの周波数を変更する必要がある旨を表示するように制御することを特徴とする請求項２に記載の受信装置。
【請求項１６】
映像信号あるいは音声信号と共に、チャンネル周波数変更情報を有する番組関連情報が多重されてなるデジタル放送信号を受信する受信手段と、
前記受信手段により受信された放送信号のチャンネルを選局する選局手段と、
前記選局手段により選局可能なチャンネルを記憶する記憶手段と、
前記選局手段で選局するチャンネルが受信可能か否かを判定する判定手段と、
前記記憶手段に記憶されたチャンネル情報を更新する更新手段と、
前記判定手段が前記選局手段で選局したチャンネルが受信不可能であると判定した場合に前記チャンネル周波数の変更作業を行うか否かの選択画面を表示するように制御する制御手段と、
リモコンあるいは受信装置本体に備えられたキーからの入力信号を受信する入力手段と、を備え、
前記入力手段より、チャンネル周波数の変更作業を行う旨の入力がなされた場合に前記更新手段は前記チャンネル周波数変更情報に基づき前記記憶手段に記憶されたチャンネル情報を更新することを特徴とする受信装置。
【請求項１７】
映像信号あるいは音声信号と共に、チャンネル周波数変更情報を有する番組関連情報が多重されてなるデジタル放送信号を受信する受信ステップと、
前記受信ステップにおいて受信された放送信号のチャンネルを選局する選局ステップと、
前記チャンネル周波数変更情報に含まれるチャネル周波数変更時点を経過時またはチャンネル周波数変更時点を経過後に前記チャンネル周波数の変更作業を行うか否かの選択画面を表示する表示ステップと、
を備えてなることを特徴とする受信方法。
【発明の詳細な説明】
【技術分野】
【０００１】
本発明は、デジタル放送の受信装置に係わり、特に、放送局の周波数の再配置（再割当）に追随して、再配置後の周波数で受信できるデジタル放送受信装置に関する。
【背景技術】
【０００２】
日本国内の地上デジタルテレビジョン放送では、地上アナログテレビジョン放送とのサイマルキャスト運用の後に完全にデジタル放送へ移行することが計画されており、地上アナログテレビジョン放送の終了時点で放送局が信号送出に使用している周波数の配置を変更（周波数の再配置）することが考えられている。
【０００３】
前記周波数配置の変更（周波数の再配置）に対する追従技術として、例えば、特許文献１では、現在もっている受信チャンネルテーブルとは別に、変更告知情報に基づいて周波数変更日時以降の次受信チャンネルテーブルを予め作成しておき、変更日時を越えると、次受信チャンネルテーブルで受信し、受信後、現在の受信チャンネルテーブルを書き換えて、周波数配置の変更に追従する技術が開示されている。
【０００４】
【特許文献１】特開２００２−１０１３５２号公報
【発明の開示】
【発明が解決しようとする課題】
【０００５】
しかし、特許文献１の追従技術では、受信装置の電源を入れた時点で周波数配置の変更日時を経過していた場合に、ユーザに選択の余地が無く周波数変更に対する追従作業が行われる。このため、視聴していたチャンネルが変更対象でない場合、使用者の意図に反して、視聴が中断されることとなる。
【０００６】
また、使用者が地上デジタルテレビジョン放送を周波数再配置の時点を越えて視聴中、あるいは記録中の場合、チューナが使用中であるため、チャンネル情報の更新ができず、周波数配置の変更に対する追従作業が成されずに終了する可能性もある。このためユーザにとって使い勝手は十分とは言い難い。
そこで、本発明は、送信側での周波数配置の変更により、受信装置がその変更に追従する際の使い勝手を向上させることを目的とする。
【課題を解決するための手段】
【０００７】
上記目的は、特許請求の範囲に記載の発明によって達成される。
【発明の効果】
【０００８】
本発明は、送信側での周波数配置の変更により、受信装置がその変更に追従する際の使い勝手を向上させることができる。
【発明を実施するための最良の形態】
【０００９】
以下、本発明の実施の形態を図面に基づき詳細に説明する。
【実施例１】
【００１０】
本発明による第一の実施例を図１に示す。図１において、１０１は例えば地上デジタルテレビジョン放送を受信するアンテナ、１０２は選局、ＯＦＤＭ復調や誤り訂正などを行うチューナ復調部、１０３はチューナ復調部１０２で復調されたデジタル信号から符号化された音声信号、映像信号および周波数配置の変更告知情報などを含む多重信号を分離する多重信号分離部、１０４は多重信号分離部１０３で分離された音声信号を元の音声信号に復号する音声復号部、１０５は音声信号の出力端子、１０６は多重信号分離部１０３で分離された映像信号を元の映像信号に復号する映像復号部である。１０７は受信装置の各部を制御するＣＰＵ（Central  Processing  Unit）で、例えばチューナ復調部１０２の選局制御、選局の可否判定に用いる周波数のアンロック検出や多重信号分離部１０３で分離されたデータ(以下、「システム情報」という)を入手してその解析などを行う。１０８は映像復号部１０６で復号された映像と使用者に対する表示情報（例えば周波数配置変更に対して変更された周波数で受信できることを確認する追従作業を促す後述する使用者への通知表示）を合成する映像合成処理部、１０９は映像合成処理部１０８から出力された通知内容合成済み映像信号の出力端子、１１０は使用者からの操作を入力する入力部、１１１は受信装置に必要な内容を記憶しておくための記憶装置である。
【００１１】
記憶装置１１１で記憶する内容としては、受信装置が受信可能なチャンネルを選局するために必要なパラメータを記載した受信可能チャンネル情報１１２と、周波数配置の変更（周波数の再配置）に際して放送送信側からダウンロードデータとし送出される周波数配置の変更告知情報から、受信装置が設置されているエリアで周波数変更の追従作業が必要であると判定した周波数の変更情報を記載した周波数変更情報１１３などがある。周波数変更情報として記憶する内容の一例を図２に示す。図２のように、変更対象放送局（サービス提供者）、周波数の変更日時、変更前後の周波数、周波数再配置への追従作業の実施状況（確認フラグ）などの情報をリストとして記憶する。これらの周波数変更情報を用いることで、後述するように周波数の再配置に対して自動で追従が実現できる。なお、図２において、１２０は周波数変更情報を取得したバージョン情報である。このバージョン情報により周波数変更情報の更新の要否を行うことができる。また、確認フラグの欄の「済」はフラグが設定されていること即ち周波数再配置への追従作業がなされたことを示すものである。
【００１２】
ＣＰＵ１０７は、記憶装置１１０に記憶する受信可能チャンネル情報１１１を元に、チューナ復調部１０２を制御することにより選局を行う。選局により、アンテナ１０１で受信した放送波は、チューナ復調部１０２で復調され、ＴＳとして多重信号分離部１０３へ出力される。多重信号分離部１０３ではＴＳから、音声信号、映像信号、周波数配置の変更告知情報などを含む制御信号のストリームを分離する。音声復号部１０４は分離された音声信号を元の音声信号に復号し出力端子１５から出力する。また、映像復号部１０６は分離された映像信号を元の映像信号に復号する。映像復号部１０６で復号された映像信号は映像合成処理部１０８で使用者に対する表示情報が重畳され出力端子１０９から出力される。多重信号分離部１０３で分離された周波数配置の変更告知情報などを含むシステム情報はＣＰＵ１０７に入力され、解析されて、必要な制御情報は記憶装置１１１に格納される。そして、これらのシステム情報を元に、ＣＰＵ１０７は使用者による入力部１１０からの指示に従って、受信装置の制御を行う。
【００１３】
次に、まず、図１における周波数の変更告知情報の受信から周波数変更情報を取得する処理およびスタンバイ（外観上は電源オフであるが、ＡＣ電源は通電されて最小限の機能が動作可能な状態）時に行う周波数配置変更に対する追従処理について、図３と図４に基づき説明する。
【００１４】
図３は本実施例に係わる周波数変更情報取得処理の一実施例を示すフローチャートであり、図４は本実施例に係わる周波数配置変更に対する追従処理の一実施例を示すフローチャートである。
【００１５】
まず、図３を用いて周波数変更情報取得処理について述べる。放送側では送信周波数の再配置が予定されると、周波数変更情報を含んだダウンロードコンテンツが放送側（送信所または中継所）より配信される。受信装置において、コンテンツを含む放送波を受信すると、Ｓ２１でＣＰＵ１０７は多重信号分離部１０３で分離し取得したコンテンツから、変更告知情報を取得する。そして、Ｓ２２で、変更告知情報内に受信装置が設置されているエリアの周波数変更情報が含まれているか、またその変更日時が現在日時を経過してないかを解析して判定する。Ｓ２２で受信装置に関する周波数変更情報があると判断される場合には、Ｓ２３でバージョン情報１２０を参照して記憶装置１１１内に周波数変更情報１１３として記憶（更新）し、終了する（Ｓ２３）。このとき、バージョン情報１２０も更新する。もし、Ｓ２２で受信装置に関する周波数変更情報がない場合には処理を終了する。
【００１６】
次に、図４を用いて周波数配置変更に対する追従処理について述べる。
図４において、ＣＰＵ１０７は、周波数の再配置が予定された変更日時の前後（例えば１週間前後）になると、受信装置が利用されてないスタンバイ時、周波数配置変更に対する追従処理を開始する。
【００１７】
処理を開始すると、Ｓ３１で、ＣＰＵ１０７は、記憶装置１１１に格納されている図２に示した周波数変更情報１１３のリストの内で、変更後のＣＨ（周波数）で受信が確認されてない最初の変更後ＣＨ（周波数）を選局する（以下では、受信が確認されてない変更後ＣＨのみを取り扱うものとする）。そして、Ｓ３２で図示しないチューナ復調部１０２の例えば周波数のアンロック検出から受信可能か判定する。該周波数（ＣＨ）での受信可能を確認した場合は、Ｓ３３に行き、受信可能チャンネル情報１１２の選局パラメータを更新し、以降は更新した選局パラメータに基づいて選局することで、使用者に意識させることなく、周波数の再配置に追従できる。このとき、周波数変更情報１１３は、該当項目の内容を周波数変更情報のリストから削除する、あるいは、図２に例示した周波数変更情報のリストを記憶している場合には、変更後周波数での受信確認済みのフラグを立てることで、変更後の周波数で受信が確認できていない内容との識別を可能として、Ｓ３５に進む。Ｓ３５では現在選局している変更後ＣＨ（周波数）が図２のリストの最後の変更後ＣＨ（周波数）であるか判定し、Ｙｅｓであれば処理を終了し、Ｎｏであれば、Ｓ３６で図２のリストの次の変更後ＣＨ（周波数）を選局してＳ３２に戻る。
【００１８】
Ｓ３２で受信できなかった場合には、Ｓ３４で現在日時が変更日時を経過してないか判定し、経過してなければ、Ｓ３５に行き、経過してればＳ３７に進む。
Ｓ３７では、変更日時を経過しているが、その周波数での配置変更がなされてない可能性もあるので、対応する変更前ＣＨ（周波数）を選局し、受信可能かチェックする。受信できる場合は該当周波数での配置変更がなされてないので、Ｓ３５に行く。Ｓ３７で変更前ＣＨ（周波数）でも受信できなかった場合には、何らかの異常な状態にあると判定されるので、周波数変更情報１１３の異常フラグの欄に異常フラグを立ててＳ３５に行く。
以上の作業により、放送側の周波数の再配置に対する、受信装置の追従作業が完了する。なお、受信装置の電源がオンされると、ＣＰＵ１０７は周波数変更情報１１３の異常フラグの有無をチェックし、異常フラグが立っていれば、映像合成処理部で異常があることを表示させる。勿論、受信装置の筐体上に配設されている図示しないＬＥＤで表示してもよい。
【００１９】
上記したように、周波数再配置の変更日時経過を契機にするのではなく、周波数再配置が予定された変更日時の前後に、本実施例による周波数配置変更に対する追従処理を行うことにより、周波数再配置の変更日時が予定日より早められても、あるいは遅延しても、受信確認を通じて、場合に応じた追従処理が可能となる。
ここで、図４に示した追従処理は、受信装置が使用されていないスタンバイ時などに行うことを前提にしている。しかし、使用者が周波数再配置の時点を越えて視聴中、あるいは記録中の場合、受信装置が使用中であるため、変更日時通り周波数再配置がなされても、周波数配置の変更に対する追従作業が成されず、チャンネル情報の更新ができない可能性がある。
【００２０】
このように追従作業が成されなかった場合には、受信可能チャンネル情報１１２は更新されず、また、周波数変更情報１１３に周波数変更の追従作業が未実施（済のフラグがない）として残る。送信側の周波数再配置の終了後、使用者が周波数再配置によりその送信周波数が変更された番組を選局すると、受信装置では受信可能チャンネル情報１１２が更新されていないので、変更前の周波数で選局を行うため、受信が不可となり、使用者によっては何故受信しないのだろうと驚くことも想定される。また、この場合、該番組を再度視聴するためには、使用者によるチャンネルサーチが必要となる。
そこで、選局時に周波数再配置の追従作業がなされてない場合、チャンネル情報更新を促す表示を行って、使用者を驚かすことなく、追従処理（チャンネル情報更新）を行う本実施例について、図５を用いて説明する。
【００２１】
図５において、ＣＰＵ１０７は、Ｓ４１で、選局した際にチューナ復調部１０２の受信不可を検出すると、Ｓ４２で、記憶装置１１１に格納されている周波数変更情報１１３に該選局周波数に関する変更情報が記憶されているかを確認する。Ｓ４２でＹｅｓであれば、Ｓ４３に行き、Ｎｏであれば何かトラブルで受信できないと判断して処理を終了する。
ＣＰＵ１０７は、Ｓ４３で例えば図６に示すような使用者に対するチャンネル情報更新（即ち変更後周波数（チャンネル）での選局）を促す表示（使用者への通知表示）を行う。そして、Ｓ４４で使用者のチャンネル情報更新の指示を待つ。
【００２２】
ここで、図６について説明する。図６は、チャンネル情報更新を促す表示の一実施例である。図６のように、周波数変更のあるチャンネルに対するスキャンによる受信状況の確認を同意するためのアイコンを表示し、また、変更対象の放送局情報や対象地域などを明記して、使用者がより理解しやすい内容としている。
【００２３】
再び、図５に戻って、図６の表示を確認した使用者による“はい”の選択、即ち受信可能チャンネル情報１１２の更新のための選局の承諾を受けると、ＣＰＵ１０７はＳ４５で周波数変更後のチャンネルでの受信の確認を行う。Ｓ４５で変更後のチャンネルでの受信が確認できれば、Ｓ４７で周波数変更情報１１３の追従作業の確認フラグ欄に済であるフラグを立てるとともに、受信可能チャンネル情報１１２を更新する。また、該番組を再選局して（Ｓ４８）、使用者が所望する番組を受信し、周波数変更の追従作業を終了する。また、Ｓ４５で受信できない場合は何かトラブルで受信できないと判断して処理を終了する。
【００２４】
また、図６のような表示を行った際に、番組の記録中などで、表示時点での選局を許可しない“いいえ”を使用者が選択した場合には、Ｓ４６で図７に例示するような画面を表示することにより、使用者に対してチャンネル情報の更新が必要であることを通知し、視聴中の番組が終了した後で、使用者が手動で周波数変更のあるチャンネルの再スキャンを行うよう促し、周波数変更の追従作業を終了する。この方法により、受信装置は周波数配置の変更に追従できる。なお、図７の通知内容は図６の表示に含めることも可能である。
図６において（即ちＳ４４で）、使用者が“いいえ”を選択した場合、変更後のチャンネルでの受信確認は行われず、受信可能チャンネル情報１１２が更新されないため、再度該チャンネルの選局を行うと、Ｓ４２以降の処理を再度行う。
【００２５】
また、図６で使用者が“いいえ”を選択した後、例えば図７の画面表示に従って、手動でチャンネルの受信確認を実行すると、ＣＰＵ１０７は、入力部１１０から指示（例えば設定メニューでのチャンネルスキャン選択）により、図５のＳ４５，Ｓ４７，Ｓ４８と同様な追従処理を行う。また、これらの“はい”もしくは“いいえ”等の選択は、使用者が図示しないリモコンあるいは受信装置本体に備えられたキーから行うことができる。
【００２６】
上記説明では、受信できないある一つのチャンネルに対する追従作業について述べたが、Ｓ４３での図６の画面表示およびＳ４６での図７の画面表示の対象チャンネルとして、現在対象の受信できない一つのチャンネルのみならず、周波数変更情報１１３のうちに追従作業未実施のチャンネルがあれば、それらも含めて画面表示し、追従作業を行うようにしてもよい。
【００２７】
従って、この場合、図６で使用者が“いいえ”を選択した後、手動でチャンネルの受信確認を実行すると、ＣＰＵ１０７は、入力部１１０から指示により、図５のＳ４５，Ｓ４７，Ｓ４８と同様な追従処理を複数のチャンネルに対して行う。即ち、周波数変更情報１１３に追従作業が未実施として残っている内容に関して、変更後の周波数での受信確認を行う。そして、変更後の周波数での受信が可能であると確認できた場合には、受信可能チャンネル情報１１２の選局パラメータを更新し、周波数変更情報１１３の該周波数に関する追従作業を実施済みに更新する。
【００２８】
なお、上記例では、選局したチャンネルの受信不可の場合を想定しているが（S51）、周波数再配置の時点、もしくは再配置の時点の経過後に追従作業が完了していないと判断された場合に同様の作業（図５のS42以降）を行うようにしてもよい。このことにより、例えば、視聴中とは別の番組が周波数変更の対象だった場合や電源ON時に再配置の時点を経過していが場合等、使用者がただちに追従作業を行うか否かを選択できる。
また、追従作業は、図４で説明したような、周波数変更情報のリストに挙がっているチャンネルをスキャンする方法でも、そのリストに限定せずに放送周波数領域のチャンネルをスキャンする方法でもよい。これにより放送エリアの境界に近い領域などにて、最適なチャンネルを選局することができる。
【００２９】
以上述べたように、本実施例によれば、図４に示すように、周波数配置変更に対する追従作業を変更後の周波数のみで確認するようにしたので、追従作業時間の短縮を図ることができる。また、追従作業を変更日時の前後で行うようにしたので、周波数再配置の作業状況により実際の変更日時より前倒しとなっても、周波数変更に対する確実な追従作業が行える。また、周波数再配置の作業状況が遅れても、変更後周波数で受信できない場合は変更前周波数で受信して、変更後，変更前周波数の両方で受信確認を行うので、追従作業時間の短縮を図りながら、確実に周波数配置変更に対応することができる。
【００３０】
また、周波数配置の変更期日を経過しても、デジタル放送受信装置が送信側の周波数配置の変更に追従できず、記憶しているチャンネルで受信が不可となった場合、使用者に対して、例えば図６，図７のような表示をして、チャンネル情報の更新を促すことにより、受信不可状況をより少ない時間で回避することができる。また、使用者の利用に弊害のないタイミングでチャンネル情報の更新を行うことができ、さらに、使用者がただちに追従作業を行うか否かを選択でき、受信装置の利便性を向上させることができる。
【実施例２】
【００３１】
次に、使用者への通知を行わずに、チャンネル情報を更新する第２の実施例について図８のフローチャートを用いて説明する。第２の実施例を実現する受信装置の構成は図１と同様である。
【００３２】
図８は、周波数配置変更に対する追従作業の過程を示すフローチャートである。
図８において、ＣＰＵ１０７は、Ｓ７１で、選局した際に、チューナ復調部１０２の受信不可を検出すると、周波数変更情報１１３に該選局周波数に関する変更情報が記憶されているかを確認する（Ｓ７２）。そのチャンネルの変更情報がある場合には、即時にＣＰＵ１０７はＳ７３で周波数変更後のチャンネルでの受信を確認し、受信を確認できた場合には、周波数変更情報１１３の追従作業の確認フラグ欄に済であるフラグを立てるとともに、受信可能チャンネル情報を更新する（Ｓ７４）。そして、更新後の受信可能チャンネル情報で再度選局を行い、使用者が所望する番組を受信して（Ｓ７５）、周波数変更の追従作業を終了する。また、Ｓ７２で変更情報が記憶されてない場合やＳ７３で受信できない場合は何かトラブルで受信できないと判断して処理を終了する。
【００３３】
以上述べたように、本実施例によれば、周波数配置の変更期日を経過しても、デジタル放送受信装置が送信側の周波数配置の変更に追従できず、記憶しているチャンネルで受信が不可となった場合、変更後周波数を選局するようにしたので、より短い時間で受信不可状況を回避することができる。
【００３４】
なお、第１の実施例では、映像合成処理部１０８でチャンネル情報更新を促す表示を行うようにしたが、本発明はこれに限らず、周波数の変更があった場合に、放送受信装置の筐体上に配設されたＬＥＤ等の表示媒体により通知するようにしても良い。
【００３５】
この表示を確認した使用者が、手動で再スキャンを行うことにより、受信可能なチャンネル情報の更新ができる。再スキャンにおいては、受信装置の具備する機能により、上記第１の実施例のように、周波数変更のあるチャンネルのみのスキャンを行う方法や、全てのチャンネルのスキャンを行う方法がとられる。
【図面の簡単な説明】
【００３６】
【図１】本発明の実施の形態による放送受信装置の構成を示すブロック図
【図２】周波数変更情報の一構成例を示す図
【図３】第１の実施例に係わる周波数変更情報取得処理の一実施例を示すフローチャート図
【図４】第１の実施例に係わる周波数配置変更に対する追従処理の一実施例を示すフローチャート図
【図５】追従作業がなされてない周波数を選局する場合における追従処理の第１の実施例を示すフローチャート図
【図６】チャンネル情報更新を促す表示の一実施例
【図７】チャンネル情報更新を促す表示の別の一実施例
【図８】第２の実施例を示すフローチャート図
【符号の説明】
【００３７】
１０１…受信アンテナ、１０２…チューナ復調部、１０３…多重信号分離部、１０４…音声復号部、１０５…音声信号の出力端子、１０６…映像復号部、１０７…ＣＰＵ、１０８…映像合成処理部、１０９…映像信号の出力端子、１１０…入力部、１１１…記憶装置、１１２…受信可能チャンネル情報、１１３…周波数変更情報
【図１】
2006174194.tif 000003
【図２】
2006174194.tif 000004
【図３】
2006174194.tif 000005
【図４】
2006174194.tif 000006
【図５】
2006174194.tif 000007
【図６】
2006174194.tif 000008
【図７】
2006174194.tif 000009
【図８】
2006174194.tif 000010